(57)【特許請求の範囲】
【請求項１】
音波を増幅させる音波メタマテリアルであって、
所定の厚さを有し、上面と下面をそれぞれ有する複数のプレート１００と、該プレート１００の前記上面と下面の間に形成された複数の音波導波路１１０とを含み、
前記音波導波路１１０のそれぞれは、一定パターンで前記上面と下面を通り、前記上面と下面との間で連続的に延び、
互いに隣り合う前記プレート１００は互いに離隔して配置され、前記音波導波路１１０が配置されていない空間が形成されていることを特徴とする、音波メタマテリアル。
【請求項２】
前記プレート１００のそれぞれは矩形の板形態を有し、
互いに隣り合う２つのプレート１００が一定距離離隔して前記２つのプレート１００間に空間を形成することを特徴とする、請求項１に記載の音波メタマテリアル。
【請求項３】
前記２つのプレート１００の側面および前記２つのプレート１００間の空間を全て密閉させる密閉部２００をさらに含むことを特徴とする、請求項２に記載の音波メタマテリアル。
【請求項４】
前記プレート１００のそれぞれは、その中心部に空間が形成されるように、所定の厚さを有する柱形状を有し、音波導波路１１０は前記柱形状の内側に形成されることを特徴とする、請求項１に記載の音波メタマテリアル。
【請求項５】
前記プレート１００のそれぞれは、その中心部に空間が形成されるように、所定の厚さおよび所定の幅を有する円形状を有し、
前記空間が筒状形状を形成するように、前記プレート１００が垂直方向に積み重ねられることを特徴とする、請求項１に記載の音波メタマテリアル。
【請求項６】
前記音波導波路１１０の１つの長さの合計は、前記プレート１００の１つの厚さよりも大きくなるように形成されることを特徴とする、請求項１に記載の音波メタマテリアル。
【請求項７】
前記音波導波路１１０は、己字、Ｗ字、及びＳ字形状のうち、いずれか１つの形状であり、
互いに隣り合う前記音波導波路１１０は、前記プレート１００の上面と下面の延びる方向に、互いに離隔して配置されることを特徴とする、請求項６に記載の音波メタマテリアル。
【請求項８】
前記プレート１００は、金属、石材、木材、ガラス、セラミック、及びプラスチックのうちから選択される少なくともいずれか１つの材料で形成されることを特徴とする、請求項１に記載の音波メタマテリアル。
【請求項９】
互いに隣り合うプレート１００間の前記空間に備えられる音波ソース３００をさらに含むことを特徴とする、請求項１に記載の音波メタマテリアル。
【請求項１０】
互いに隣り合うプレート１００間の前記空間に備えられるディテクター４００をさらに含むことを特徴とする、請求項１に記載の音波メタマテリアル。
【発明の詳細な説明】
【技術分野】
【０００１】
本発明は音波メタマテリアルに関し、より詳しくは、共振現象を用いて音波を増幅（amplifier）させることができる音波メタマテリアルに関する。
【背景技術】
【０００２】
メタ物質（Metamaterial）は、波長より非常に小さな大きさに作った金属や誘電物質で設計されたメタ原子（meta atom）の周期的な配列でなされた仮想の物質である。これは、自然で発見できない一連の性質を有するように、とても細心に人工的に設計して作ったものである。周辺の空気より密度がより高いにもかかわらず、光を法線から遠ざかるように屈折させる。このような性質を音の屈折率と呼ぶ。英国のSir J. Pendryが音の屈折率の物質がスーパーレンズを作ることができるという論文発表（ＰＲＬ、１９９９）の以後にメタ物質がそれを実現できるという事実のために台頭した分野である。音の屈折率だけでなく、国内でKAISTミン バン キ（Min_Bum_Ki）教授グループで２０１１年非常に高い屈折率を有するテラヘルツメタ物質を発表（Nature、２０１１）するなど、その研究に多くの潜在性を内包している。Transformation Opticsを利用すると、原理的には人々がいわゆる透明マントを作ることができるが、実現することはとても難しい。その理由には、３次元メタ物質を作ることが非常に難しくて（今まで２次元メタ物質を作ることに成功したが、そのサイズは切手サイズの数十億分の１程度で、非常に小さい）、visible周波数帯域での金属は非常にエネルギー消耗が甚だしい。現在、実験的に透明マント（cloaking）を具現した帯域はマイクロウェーブ帯域（ＧＨｚ）である。
【０００３】
メタ物質に含まれる各人工原子（メタ原子）は、メタ物質に印加された電磁気波または音波に対する応答として所定の特性を示す。
【０００４】
結果的に、メタ物質は電磁気波または音波に対して自然界に存在しない任意の有効屈折率及び有効物質係数を有するように設計及び製作できる。その結果、このようなメタ物質は、サブ波長フォーカシング（subwavelength focusing）、負屈折（Negative refraction）、奇異な転送（extraordinary transmission）、見えないマント（invisibility cloaking）のような新たな現象を発生させる。
【０００５】
現在の研究は以前の負屈折メタ物質を用いて波長以下イメージングを行うことよりはメタ物質を用いたいろいろなメタデバイス（meta-device）を作ることと、多様な物質と結合（グラフェン：Nature Materials、2012、Lee et al.）することなどがより活発である。
【０００６】
韓国公開特許[１０−２０１３−０１０５３５８]では、メタ物質のコイル基盤人工原子、これを含むメタ物質及び素子が開示されている。
【先行技術文献】
【特許文献】
【０００７】
【特許文献１】韓国公開特許公報第１０−２０１３−０１０５３５８号（公開日付：２０１３年０９月２５日）
【発明の概要】
【発明が解決しようとする課題】
【０００８】
本発明の目的は、共振現象を用いて音波を増幅（amplifier）させることができる音波メタマテリアルを提供するものである。
【課題を解決するための手段】
【０００９】
前記したような目的を達成するための本発明の一実施形態に係る音波メタマテリアルは、音波を増幅させる音波メタマテリアルにおいて、一面と他面を貫通するように一定パターンの音波導波路１１０が多数形成されたプレート１００；を含み、前記音波導波路１１０は、中心点、中心軸、または中心面を基準に一定間隔離隔して対向する形状に前記プレート１００が備えられることを特徴とする。
【００１０】
また、前記プレート１００は板形態に形成され、２つのプレート１００が一定距離離隔して水平に対向する形状であることを特徴とする。
【００１１】
また、前記２つのプレート１００の側面を全て密閉させる密閉部２００；をさらに含むことを特徴とする。
【００１２】
また、前記プレート１００は、中心軸を基準に一定領域空間が形成された柱形状であることを特徴とする。
【００１３】
また、前記プレート１００は、中心点を基準に一定領域空間が形成された球形状であることを特徴とする。
【００１４】
また、前記音波導波路１１０は、前記プレート１００の厚さより長く形成されることを特徴とする。
【００１５】
また、前記音波導波路１１０は、己字、Ｗ字、及びＳ字形状のうち、いずれか１つの形状であることを特徴とする。
【００１６】
また、前記プレート１００は、金属、石材、木材、ガラス、セラミック、及びプラスチックのうちから選択される少なくともいずれか１つの材料で形成されることを特徴とする。
【００１７】
また、プレート１００が対向する空間、プレート１００の中心軸に形成された空間、またはプレート１００の中央に形成された空間に備えられる音波ソース３００；をさらに含むことを特徴とする。
【００１８】
併せて、プレート１００が対向する空間、プレート１００の中心軸に形成された空間、または前記プレート１００の中央に形成された空間に備えられるディテクター４００；をさらに含むことを特徴とする。
【発明の効果】
【００１９】
本発明の一実施形態に係る音波メタマテリアルによれば、音波導波路が対向する形状に形成されたプレートを用いて音波を局限させるための空間が音波導波路の間に形成されることによって、プレートの共振周波数と同一な周波数の音波を増幅させることができる効果がある。
【００２０】
また、音波を局限させるための空間と外部を遮断させるための密閉部を備えることによって、特定周波数の音波をプレート間の空間に局限させる効果がより大きい。
【００２１】
また、２つのプレートが一定距離離隔して水平に対向する形状の場合、プレートの平面に垂直な方向の音波をより大きく増幅させることができる効果がある。
【００２２】
また、柱形状のプレートの場合、プレートの中心軸に垂直な方向の音波をより大きく増幅させることができる効果がある。
【００２３】
また、球形状のプレートの場合、全ての方向から入る音波を増幅させることができる効果がある。
【００２４】
また、導波路をプレートの厚さより長く形成することによって、増幅させようとする音波の波長に比べてプレートをより縮小させて製作することができる効果がある。
【００２５】
また、音響に使われる硬い材質（acoustic hard wall）であれば、プレートを作る材料に使用できることによって、適用される分野によって多様な材質で製作可能な効果がある。
【００２６】
また、音波を局限させるための空間（プレートの内部）に音波ソースを備えることによって、外部に放出する音波を増幅させて本来の音波ソースに比べてより大きい出力で音波を送ることができる効果がある。
【００２７】
併せて、音波を局限させるための空間（プレートの内部）にディテクターを備えることによって、外部から流入する音波を増幅させて本来の音波に比べてより大きい出力で音波を感知することができる効果がある。
【図面の簡単な説明】
【００２８】
【図１】本発明の一実施形態に係る平板形態の音波メタマテリアルの斜視図である。
【図２】図１の正面図である。
【図３】図２のＡを拡大した拡大図である。
【図４】図１に密閉部が追加されることを示す分解斜視図である。
【図５】本発明の一実施形態に係る柱形態の音波メタマテリアルの概念図である。
【図６】本発明の一実施形態に係る球形態の音波メタマテリアルの概念図である。
【図７】本発明の一実施形態に係る音波メタマテリアルの音波導波路を示す例示図である。
【図８】本発明の一実施形態に係る音波メタマテリアルの音波導波路を示す例示図である。
【図９】本発明の一実施形態に係る音波ソースを含んだ音波メタマテリアルの例示図である。
【図１０】本発明の一実施形態に係るディテクターを含んだ音波メタマテリアルの例示図である。
【発明を実施するための形態】
【００２９】
以下、図面を参照して本発明をより詳細に説明する。次に紹介される図面は当業者に本発明の思想が十分に伝達できるようにするために例として提供されるものである。したがって、本発明は以下に提示される図面に限定されず、他の形態に具体化されることもできる。また、明細書の全般に亘って同一な参照番号は同一な構成要素を示す。図面中の同一な構成要素はできる限りどこでも同一な符号で示していることに留意しなければならない。また、使われる技術用語及び科学用語において、他の定義がなければ、この発明が属する技術分野で通常の知識を有する者が通常的に理解している意味を有し、以下の説明及び添付図面で本発明の要旨を曖昧にすることがある公知機能及び構成に対する説明は省略する。
【００３０】
図１は本発明の一実施形態に係る平板形態の音波メタマテリアルの斜視図であり、図２は図１の正面図であり、図３は図２のＡを拡大した拡大図であり、図４は図１に密閉部が追加されることを示す分解斜視図であり、図５は本発明の一実施形態に係る柱形態の音波メタマテリアルの概念図であり、図６は本発明の一実施形態に係る球形態の音波メタマテリアルの概念図であり、図７及び図８は本発明の一実施形態に係る音波メタマテリアルの音波導波路を示す例示図であり、図９は本発明の一実施形態に係る音波ソースを含んだ音波メタマテリアルの例示図であり、図１０は本発明の一実施形態に係るディテクターを含んだ音波メタマテリアルの例示図である。
【００３１】
物体の振動が任意の方向に運動している空気粒子を撹乱させれば、部分的に圧力の高い箇所と低い箇所が表れるようになる。すると、圧力差により空気粒子が圧力の高い箇所から圧力の低い箇所に移動するようになり、音波（sound wave）が広がるようになり、空気の圧力変化が人々の耳に到達すれば、鼓膜を振動させる。
【００３２】
人が聞くことができる音波の可聴周波数は約２０〜２０，０００Ｈｚであり、周波数が２０Ｈｚ以下の音波は超低周波、２０，０００Ｈｚ以上の音波は超音波という。
【００３３】
本発明の一実施形態に係る音波メタマテリアルは、音波を増幅させる音波メタマテリアル（Metamaterial）において、一面と他面を貫通するように一定パターンの音波導波路１１０が多数形成されたプレート１００を含み、前記音波導波路１１０は、中心点、中心軸、または中心面を基準に一定間隔離離隔して対向する形状に前記プレート１００が備えられることを特徴とする。ここで、音波導波路１１０は音波が通過する通路を意味する。
【００３４】
共振（Resonance）は、特定振動数を有する物体が同一な振動数の力が外部から加えられる時、振幅が大きくなるにつれてエネルギーが増加する現象をいい、音波の周波数がプレート（構造体）の共振周波数と一致する場合、音波ソースで持続的に音波が発生すれば、プレートの内部に高い強さ（intensity）を有する音波（該当共振周波数の音波）を局限させるので、音波が増幅する。
【００３５】
即ち、本発明の一実施形態に係る音波メタマテリアルによれば、音波導波路が対向する形状に形成されたプレートを用いて音波を局限させるための空間が音波導波路の間に形成されることによって、プレートの共振周波数と同一な周波数の音波を増幅させることができる。
【００３６】
まず、前記プレート１００について詳細に説明する。
【００３７】
図１に示すように、本発明の一実施形態に係る音波メタマテリアルの前記プレート１００は板形態に形成され、２つのプレート１００が一定距離離隔して水平に対向する形状であることを特徴とすることができる。
【００３８】
プレートの共振現象により音波を封じ込めることができる最も簡単な形態が板形態の２つのプレート１００を対向するように形成するものであって、プレートとプレートとの間の空間にプレートの共振周波数と同一な周波数の音波が局限されるようになる。
【００３９】
この際、ガイドを用いて２つのプレートが一定距離離隔して水平に対向するように固定させることができる。
【００４０】
２つのプレート１００が一定距離離隔して水平に対向する形状の音波メタマテリアルの場合、前記プレート１００の水平面に垂直な方向に伝播される音波の増幅が最も大きい。言い換えると、前記プレート１００の平面を音波の進行方向と垂直であるように設置することが好ましい。これは、音波を一定方向に送出するか、または一定方向に進行される音波を検出する用途に使用可能である。
【００４１】
プレートの共振周波数を決定する要素には、音波導波路を形成する全ての要素（図１の場合、ｗ、ｔ、ｆ、ｈ、ｓ）及び音波を局限させるための空間を形成する全ての要素（図１の場合、ｇ）が該当する。
【００４２】
例えば、ファブリペロー共振（Fabry-Perot Resonance）による共振周波数の決定原理は、次の式、
【数１】
0006297162.tif 000002
0006297162.tif 000003
（ここで、ｔは透過係数、ｒは反射係数、Ｚ１は空気のインピーダンス、Ｚｅｆｆはメタ物質インピーダンス、ｋは流体内の波数（波長の逆数）、ｈはプレート厚さ、ｎｅｆｆはメタ物質導波路の屈折率をいう。）
を用いることができ、共振周波数の場合、透過率（ｔ）は１となり、反射率（ｒ）は０となる。
【００４３】
図４に示すように、本発明の一実施形態に係る音波メタマテリアルは、前記２つのプレート１００の側面を全て密閉させる密閉部２００をさらに含むことを特徴とすることができる。
【００４４】
特定周波数の音波をプレートの間の空間に局限させるためには、外部と密閉させることが好ましい。したがって、前記２つのプレート１００の側面を密閉、即ち音波を局限させることができる空間を密閉させることが好ましい。
【００４５】
図５に示すように、本発明の一実施形態に係る音波メタマテリアルの前記プレート１００は、前記プレート１００は中心軸（長手方向）を基準に一定領域空間が形成された柱形状であることを特徴とすることができる。この際、柱は３角柱、４角柱、５角柱、６角柱などの多角柱、及び円柱が含まれる。言い換えると、柱形状のプレートは柱の内部に空間が形成されて音波を局限させることができ、特定周波数の音波をプレートの間の空間に局限させるためには、前記プレート１００の両面を密閉、即ち音波を局限させることができる空間を密閉させることが好ましい。
【００４６】
図６に示すように、本発明の一実施形態に係る音波メタマテリアルの前記プレート１００は、中心点を基準に一定領域空間が形成された球形状であることを特徴とすることができる。言い換えると、球形状のプレートは球の内部に空間が形成されて外部と遮断された領域に音波を局限させることができる。
【００４７】
前記音波導波路１１０は、前記プレート１００の厚さより長く形成されることを特徴とすることができる。言い換えると、タイムディレイを作ることができるように、前記導波路１１０の長さを前記プレート１００より長くすることができれば、どんな形状でも適用可能である。
【００４８】
例えば、前記音波導波路１１０は図２に示すような己字、図７に示すようなＷ字、及び図８に示すようなＳ字形状など，導波路の長さを長くすることができれば、どんな形状でも適用可能である。
【００４９】
前記プレート１００は、金属、石材、木材、ガラス、セラミック、及びプラスチックのうちから選択される少なくともいずれか１つの材料で形成されることを特徴とすることができる。
【００５０】
ここで、金属（metal）は鉄を含んだ炭素鋼、合金鋼、鋳鉄などの鉄金属と、鉄を含まない銅、銅合金（黄銅、青銅など）、アルミニウム、アルミニウム合金、マンガンなどの非鉄金属などが該当する。
【００５１】
上記のようにプレート１００の材質を羅列しているが、これに限定されるものではなく、一般的に音響に使われる硬い材質（acoustic hard wall）で音波の透過率が１０％未満の材質は全て使用可能である。
【００５２】
図９に示すように、本発明の一実施形態に係る音波メタマテリアルは、プレート１００が対向する空間、プレート１００の中心軸に形成された空間、またはプレート１００の中央に形成された空間に備えられる音波ソース３００をさらに含むことを特徴とすることができる。
【００５３】
前記音波ソース３００は音波を発生させる全ての装置をいい、スピーカー、低周波発生器、超音波発生器などがこれに該当する。
【００５４】
前記音波ソース３００が前記音波を局限させるための空間に備えられる場合、特定周波数（前記プレートの共鳴周波数と同一な周波数）の音波が前記音波を局限させるための空間で増幅されて外部に伝播されるので、特定周波数をより増幅させて出力させることができる。
【００５５】
前記音波ソース３００は、一般的に電線（信号線）と連結されるため、前記音波を局限させるための空間に前記音波ソース３００が備えられ、前記音波を局限させるための空間と前記プレート１００の外部空間が密閉される場合、前記プレート１００の外部と内部を貫通する貫通口が前記密閉部２００または前記プレート１００上に形成され、前記貫通口を通じて前記音波ソース３００に信号線が連結できる。前記信号線の配線が完了したら前記貫通口を密閉させることが好ましい。
【００５６】
図１０に示すように、本発明の一実施形態に係る音波メタマテリアルは、プレート１００が対向する空間、プレート１００の中心軸に形成された空間、またはプレート１００の中央に形成された空間に備えられるディテクター４００をさらに含むことを特徴とすることができる。
【００５７】
前記ディテクター４００は、音波を感知（センシング）する全ての装置をいい、音圧センサー、音波センサー、水中音波探知センサー（SONAR）、超音波センサーなどがこれに該当する。
【００５８】
前記ディテクター４００が前記音波を局限させるための空間に備えられる場合、特定周波数（前記プレートの共鳴周波数と同一な周波数）の音波が前記音波を局限させるための空間で増幅して前記ディテクター４００で感知されるので、特定周波数をより増幅させて入力を受けることができる。
【００５９】
前記ディテクター４００は、一般的に電線（信号線）と連結されるので、前記音波を局限させるための空間に前記ディテクター４００が備えられ、前記音波を局限させるための空間と前記プレート１００の外部空間が密閉される場合、前記プレート１００の外部と内部を貫通する貫通口が前記密閉部２００または前記プレート１００上に形成され、前記貫通口を通じて前記ディテクター４００に信号線が連結できる。前記信号線の配線が完了したら前記貫通口を密閉させることが好ましい。
【００６０】
本発明の一実施形態に係る音波メタマテリアルは、空気中及び水中のように、音波が伝達できる全ての環境で適用可能であり、音波センサー（音響センサー）、音響装置（Acoustic Device）、超音波イメージング、非破壊検査など、音波を用いる全ての分野に適用可能である。
【００６１】
本発明は、前記の実施形態に限定されず、適用範囲が多様であることが勿論、請求範囲で請求する本発明の要旨を逸脱することなく多様な変形実施が可能であることは勿論である。
【符号の説明】
【００６２】
１０    音波ソース
２０    ディテクター
１００    プレート
１１０    音波導波路
【図１】
0006297162.tif 000004
【図２】
0006297162.tif 000005
【図３】
0006297162.tif 000006
【図４】
0006297162.tif 000007
【図５】
0006297162.tif 000008
【図６】
0006297162.tif 000009
【図７（ａ）】
0006297162.tif 000010
【図７（ｂ）】
0006297162.tif 000011
【図８（ａ）】
0006297162.tif 000012
【図８（ｂ）】
0006297162.tif 000013
【図９】
0006297162.tif 000014
【図１０】
0006297162.tif 000015